(57)【要約】【課題】ボールを打ったときにほどよい手応えがあるパークゴルフ用ボール。【解決手段】パークゴルフ用ボール１が１．３〜７．５ｍｍの厚さを有しアイオノマー樹脂で形成されたスキン部分６と、スキン部分６の内側にあって少なくとも一部分が発泡した状態にある合成樹脂で形成されたコア部分７とからなり、１００ｋｇｆ荷重下でのボール１の直径の変化量が３〜１０％の範囲にある。【選択図】図２
2005304999.tif 000002
【特許請求の範囲】
【請求項１】
直径６０ｍｍ、重さ８０〜９５グラムを有するパークゴルフ用ボールであって、
前記ボールの断面が１．３〜７．５ｍｍの厚さを有しアイオノマー樹脂で形成されたスキン部分と、前記スキン部分の内側にあって少なくとも一部分が発泡した状態にある合成樹脂を含むコア部分とからなり、１００ｋｇｆの圧縮荷重下での前記ボールの直径の変化量が３〜１０％の範囲にあることを特徴とする前記ボール。
【請求項２】
前記コア部分は、前記スキン部分に接していて０．５〜５ｍｍの厚さを有する前記合成樹脂の非発泡層と、前記非発泡層の内側を充たす前記合成樹脂の発泡層とからなる請求項１記載のボール。
【請求項３】
前記合成樹脂がエチレン酢酸ビニル樹脂である請求項１または２記載のボール。
【発明の詳細な説明】
【技術分野】
【０００１】
この発明は、パークゴルフに使用するのに好適なボールに関する。
【背景技術】
【０００２】
パークゴルフに使用する用具については、国際パークゴルフ協会（北海道中川郡幕別町室町５３−１）によって作成された規定がある。その規定によれば、ボールは８０〜９５グラム、直径６０プラスマイナス０．５ミリメートルの合成樹脂製のもので、反発距離が６５センチメートル以下、ＪＩＳ  Ｋ  ７１２５のＤ型による表面硬度が４５〜６０°でなければならない。
【０００３】
また、特開２００２−７８８２９号公報（特許文献１）には、パークゴルフ等に使用するボールについての発明が開示されている。この発明は、ボールの表面硬度と貯蔵弾性率とを所定の値にすると、ボールの耐摩耗性が向上すると教示している。ここでいう摩耗とは、ボールが地面を転がったときに、砂や土によりボール表面が摩耗することを意味している。このボールの表面層は粘弾性体によって形成され、その粘弾性体の一例はアイオノマー樹脂を主成分とするポリマーである。この発明ではまた、ボールを二層構造にすることができ、表面層内側のコアには種々のゴムを使用することができると教示している。
【特許文献１】特開２００２−７８８２９号公報
【発明の開示】
【発明が解決しようとする課題】
【０００４】
スキン部分とその内側のコア部分とからなり、スキン部分がアイオノマー樹脂で形成されているゴルフボールは周知である。そのような周知のゴルフボールにおいてはまた、アイオノマー樹脂からなるボール表面が強靭で耐摩耗性に優れていることや平滑性、光の透過性に優れていることもよく知られている。しかし、ゴルフボールを打つためのクラブとは全く異なり、ヘッドの材質が木質のもに限られると規定されているパークゴルフ用クラブで打たれるパークゴルフ用のボールは、スキン部分とコア部分とをアイオノマー樹脂のみで作ってみても、またスキン部分をアイオノマー樹脂で作りコア部分をゴムで作ってみても、クラブで打ったときの手応えは硬すぎるものになったり、柔らかすぎるものになったりする。
【０００５】
この発明が課題とするところは、規定のクラブでボールを打ったときにほどよい手応えの得られるパークゴルフ用ボールの提供にある。
【課題を解決するための手段及び発明の効果】
【０００６】
前記課題解決のために、この発明が対象とするのは、直径６０ｍｍ、重さ８０〜９５グラムを有するパークゴルフ用ボールである。かかるボールにおいて、この発明が特徴とするところは、前記ボールの断面が１．３〜７．５ｍｍの厚さを有しアイオノマー樹脂で形成されたスキン部分と、前記スキン部分の内側にあって少なくとも一部分が発泡した状態にある合成樹脂を含むコア部分とからなり、１００ｋｇｆの圧縮荷重下での前記ボールの直径の変化量が３〜１０％の範囲にあること、にある。
【０００７】
かかる発明において、直径の変化量Ａは、圧縮前のボールの直径をＤ０とし、１００ｋｇｆの荷重を５秒間かけた後の直径をＤ１としたときに、Ａ（％）＝（Ｄ０−Ｄ１）／Ｄ０×１００と定義される。変化量Ａが３〜１０％であるときに、クラブでボールを打ったときの手応えがほどよいものになることが実験的に確かめられている。
【０００８】
請求項２に係るこの発明の実施態様において、前記コア部分が、前記スキン部分に接していて０．５〜５ｍｍの厚さを有する前記合成樹脂の非発泡層と、前記非発泡層の内側を充たす前記合成樹脂の発泡層とからなる。
【０００９】
この態様の発明によれば、スキン部分が透明であっても、非発泡層によって発泡層を隠蔽することができるので、スキン部分とコア部分との間に設けられたマーク、装飾模様等の表示手段の視認性が発泡層の存在によって低下するということがない。
【００１０】
請求項３に係るこの発明の実施態様において、前記合成樹脂がエチレン酢酸ビニル樹脂である。
【００１１】
コア部分が発泡したエチレン酢酸ビニル樹脂を含むパークゴルフ用ボールは、それを打ったときの手応えが特に良好である。
【発明を実施するための最良の形態】
【００１２】
添付の図面を参照して、この発明に係るゴルフ用ボールの詳細を説明すると、以下のとおりである。
【００１３】
図１，２は、パークゴルフ用ボール１の正面図と、その正面図のＩＩ−ＩＩ線断面図である。ボール１は、国際パークゴルフ協会が規定する寸法と性能とを有するもので、図１では、フィルム２に表示手段として印刷されたマークや装飾模様の一例であるＡ，Ｂ，Ｃの三文字からなるマーク３をボール１の表面から透視できるが、そのフィルム２には無色透明なものが使用されているからフィルム２の存在が目立つことはない。ボール１の直径は６０ｍｍであり、その断面には、厚さ１．３〜７．５ｍｍのスキン部分６と、スキン部分６の内側を充たすコア部分７とが現われている。スキン部分６は、アイオノマー樹脂、より好ましくは透明ないし半透明のアイオノマー樹脂で形成されている。コア部分７は、少なくとも一部分が発泡した状態にある合成樹脂を含むもので、好ましくはスキン部分６と接する部位に厚さ０．５〜５ｍｍの第１コア層８を有し、第１コア層８の内側に第２コア層９を有する。コア部分７はエチレン酢酸ビニル樹脂からなるものであるが、第１コア層８ではエチレン酢酸ビニル樹脂が非発泡状態にあり、第２コア層９ではエチレン酢酸ビニル樹脂が発泡状態にある。ここでエチレン酢酸ビニル樹脂が非発泡状態にあるとは、図２の断面においてこの樹脂が発泡した状態にあることを目視によっては確認できないことを意味し、発泡状態にあるとは、目視によってその発泡状態を確認できることを意味している。マーク３が印刷されている透明なフィルム２は、スキン部分６とコア部分７との間にあり、マーク３はコア部分７における第１コア層８の色を背景にして、透明ないし半透明のスキン部分６を透して見ることができる。第１コア層８は非発泡状態にあるから、発泡しているエチレン酢酸ビニル樹脂が透けて見えてマーク３の視認性が低下するということはない。
【００１４】
パークゴルフ用ボールの規定重量は８０〜９５ｇであり、図１，２に示されたボール１で厚さ１．３〜７．５ｍｍを有するスキン部分６のアイオノマー樹脂が占める重量はその比重に基づく計算から規定重量の約３０％になるので、残り約７０％の重量はコア部分７のエチレン酢酸ビニル樹脂の重量となる。そのエチレン酢酸ビニル樹脂は、第１コア層８の内側を発泡した状態の第２コア層９で充たすことができるように、発泡剤の量と発泡条件とが調整される。
【００１５】
この発明の発明者が知見したところによれば、規定重量のボールであっても、圧縮試験機によって１００ｋｇｆの荷重を５秒間かけたときの直径の変化量Ａによって、ボールをクラブで打ったときの手応え、換言すると手に伝わる衝撃の度合いが変化する。その変化量Ａは、荷重をかける前の直径をＤ０とし、１００ｋｇｆの荷重を５秒間かけた後の直径をＤ１とすると、Ａ（％）＝（Ｄ０−Ｄ１）／Ｄ０×１００と定義される値である。発明者の実験によれば、図１，２の構造を有するアイオノマー樹脂とエチレン酢酸ビニル樹脂とからなるボール１では、変化量Ａが１０％を超えるときに、５人のプレーヤー全員が柔らかすぎて反発力に欠ける手応えのものと判断し、変化量Ａが３％未満であるときのボール１では、全員が硬すぎて、手に加わる衝撃が大きい手応えのものと判断した。変化量Ａが３〜１０％の間にあるときには、５人中の少なくとも３人のプレーヤーがボールの硬さが適度でほどよい手応えのものと判断した。
【００１６】
ボール１の変化量Ａをこのように３〜１０％の範囲に納めるには、８０〜９５ｇのボール１で、スキン部分６の厚さを１．３〜７．５ｍｍの範囲で調整し、そのときのスキン部分６の重量とボール１の規定重量との差をコア部分７の重量とし、かつ第１コア層８の厚さを０．５〜５ｍｍの範囲で調整することが好ましい。ボール１は、スキン部分６がアイオノマー樹脂で形成され、コア部分７が発泡したエチレン酢酸ビニル樹脂を含むことが好ましいものであるが、そのエチレン酢酸ビニル樹脂に代えて発泡したウレタン樹脂や塩化ビニル樹脂を含むことも可能である。また、マーク３の視認性が特に問題にならないときには、コア部分７の全体を発泡した合成樹脂で形成することができる。
【産業上の利用可能性】
【００１７】
この発明によれば、クラブでボールを打ったときにほどよい衝撃が手に伝わるパークゴルフ用ボールの製造が可能になる。
【図面の簡単な説明】
【００１８】
【図１】ボールの正面図。
【図２】図１のＩＩ−ＩＩ線断面図。
【符号の説明】
【００１９】
１    ボール
６    スキン部分
７    コア部分
８    非発泡層
９    発泡層
【図１】
2005304999.tif 000003
【図２】
2005304999.tif 000004